(57)【要約】【課題】  写真撮影装置における撮影手段の撮影範囲内の略中央とその周部を好適に照明することで、仕上がり具合の良好な写真撮影を行う。【解決手段】  撮影ブース７内のユーザを撮影するカメラ２と、撮影時に撮影ブース７内のユーザを照明するための照明手段３とを備えた写真撮影装置において、照明手段３は、斜め上方からカメラ２の撮影範囲２１の略中央２１Ａを照明する第１の照明部３ａと、斜め下方から撮影範囲２１の略中央２１Ａを照明する第２の照明部３ｂと、第１の照明部３ａよりも上方に配置されて撮影範囲２１の略中央２１Ａよりも上方を照明する上部照明部３ｃとを備える。【選択図】図１
2007064996.tif 000002
【特許請求の範囲】
【請求項１】
撮影ブース内のユーザを撮影する撮影手段と、撮影時に前記撮影ブース内のユーザを照明するための照明手段とを備えた写真撮影装置において、前記照明手段は、斜め上方から前記撮影手段の撮影範囲の略中央を照明する第１の照明部と、斜め下方から前記撮影範囲の略中央を照明する第２の照明部と、前記第１の照明部よりも上方に配置されて前記撮影範囲の略中央よりも上方を照明する上部照明部とを備えることを特徴とする写真撮影装置。
【請求項２】
照明手段は、第２の照明部よりも下方に配置されて撮影手段の撮影範囲内の略中央よりも下方を照明する下部照明部を備えることを特徴とする請求項１記載の写真撮影装置。
【請求項３】
撮影ブース内のユーザを撮影する撮影手段と、撮影時に前記撮影ブース内のユーザを照明するための照明手段とを備えた写真撮影装置において、前記照明手段は、斜め上方から前記撮影手段の撮影範囲の略中央を照明する第１の照明部と、斜め下方から前記撮影範囲の略中央を照明する第２の照明部と、前記第２の照明部よりも下方に配置されて前記撮影範囲の略中央よりも下方を照明する下部照明部とを備えることを特徴とする写真撮影装置。
【請求項４】
撮影ブース内のユーザを撮影する撮影手段と、撮影時に前記撮影ブース内のユーザを照明するための照明手段とを備えた写真撮影装置において、前記照明手段は、前記撮影ブースに面する照射面を有し、前記照射面は、前記撮影ブースに対して凸状に突出した曲面であることを特徴とする写真撮影装置。
【発明の詳細な説明】
【技術分野】
【０００１】
本発明は、撮影ブース内の被写体を撮影する写真撮影装置に関する。
【背景技術】
【０００２】
アミューズメント施設等に設置され、設けられた撮影ブース内において被写体（ユーザ）を自動的に撮影し、この撮影画像と、付属のタッチペンによりユーザから入力される文字や図形、およびあらかじめ記憶されているスタンプ画像、フレーム画像、背景画像からなる編集画像とを合成して印刷用画像を作成し、この印刷用画像をシール等の印刷媒体に印刷して提供する写真撮影装置があることは広く知られている。
【０００３】
このような写真撮影装置においては、撮影ブース内のユーザを綺麗に撮影するために、照明手段として複数のストロボが備えられているが、ユーザのアップ撮影時にユーザの顔にできるだけ影ができないようにするため、また、ほとんどのユーザがカメラの撮影範囲の略中央において撮影ポーズを形成することが想定されるため、例えば特許文献１の図１および図２に記載されているように、複数のストロボにおける光を照射する面（以下、照射面）は、全体としてユーザ側に「く」の字状に傾斜した状態で設けられている。これにより、ユーザの顔を斜め上方および斜め下方から同時に照明することができるので、仕上がり具合の綺麗な写真を撮影することができる。
【０００４】
また、ユーザがカメラに近付いてアップ撮影を行うときとカメラから離れて全身撮影を行うときとでは、ストロボからの光が照射される照射面とユーザとの距離が異なり、この距離が遠い場合には、ストロボからの照射光がユーザに十分に届きにくくなるため、例えば特許文献２の図１には、遠方の撮影空間を照射するための指向性照明装置が備えられていることが記載されている。このような指向性のある光を照射することで、光の分散を抑制して、照射面からの距離が遠いユーザを照明することができる。
【０００５】
また、近年の写真撮影装置においては、被写体であるユーザが個性的な撮影ポーズを容易に形成することができるように、撮影ブース内に、ユーザの撮影ポーズの形成を補助する椅子などの姿勢補助具が備えられている。例えば特許文献３には、被写体であるユーザが撮影ポーズの形成時に把持するためのハンドルと、ユーザの足場となるステップとが、撮影ブース内の両側面に取り付けられていることが記載されている。
【０００６】
このように、姿勢補助具としてのハンドルおよびステップが、撮影ブース内に設けられていることで、ユーザは、例えば撮影時に片足でステップに載ったうえで片手でハンドルを把持し、他方の手足を大きく広げるなどして、撮影ブース内の広範囲において、撮影イメージに合う好みの撮影ポーズを容易に形成することができ、所望の写真撮影を行うことができる。
【特許文献１】特開２００５−１２５４１号公報
【特許文献２】特開２００４−１２６２３５号公報
【特許文献３】意匠登録第１２１８８２２号公報
【発明の開示】
【発明が解決しようとする課題】
【０００７】
従来の写真撮影装置におけるストロボの照射面は、上述したように、ユーザのアップ撮影時にユーザの顔にできるだけ影ができないようにするため、また、ほとんどのユーザがカメラの撮影範囲の略中央において撮影ポーズを形成することが想定されるため、撮影範囲の略中央を重点的に照射するように設定されているので、カメラの撮影範囲内における略中央の周部、すなわち撮影範囲内における上方側および下方側は、略中央に比べて暗くなりがちで、特に、特許文献３に記載されているような姿勢補助具を用いて撮影ポーズを形成する場合、ステップに載ったユーザの顔の位置が、カメラの撮影範囲内の上方側になってしまい、このユーザの顔を綺麗に撮影できなくなるといった問題が発生する。
【０００８】
また、特許文献２には、遠方の撮影空間を照射するための指向性照明装置が備えられていることが記載されているが、これはストロボからの距離が遠いユーザを照明するものであり、カメラの撮影範囲内における上方側を照明するものではないため、このような照明装置を用いても、上記の問題は解決されず、また、指向性のある光を照射しているので、ユーザの背景に現れるユーザ等の影が濃くなってしまう。さらに、ユーザの背景には背景カーテンが設けられていることがあるが、この背景カーテンにおける、指向性のある光が照射されている部分と照射されていない部分とでは、明暗の差、すなわち背景カーテンの色むらが明確に現れ、写真の仕上がり具合に悪影響を及ぼしてしまう。
【０００９】
そこで本発明はこのような問題を解決して、写真撮影装置における撮影手段の撮影範囲内の略中央とその周部を好適に照明することで、仕上がり具合の良好な写真撮影を行うことを目的とする。
【課題を解決するための手段】
【００１０】
上記課題を解決するために請求項１記載の発明は、撮影ブース内のユーザを撮影する撮影手段と、撮影時に前記撮影ブース内のユーザを照明するための照明手段とを備えた写真撮影装置において、前記照明手段は、斜め上方から前記撮影手段の撮影範囲の略中央を照明する第１の照明部と、斜め下方から前記撮影範囲の略中央を照明する第２の照明部と、前記第１の照明部よりも上方に配置されて前記撮影範囲の略中央よりも上方を照明する上部照明部とを備えるものである。
【００１１】
このような構成によると、上部照明部を備えることにより、第１の照明部が斜め上方から撮影手段の撮影範囲の略中央を照明することで前記撮影範囲の上方に形成される弱照射範囲に対して光を照射することができるので、例えば被写体であるユーザが撮影範囲における上方の位置、すなわち上側の弱照射範囲内で撮影ポーズを形成した場合であっても、このユーザに対して光を良好に照射して、このユーザを綺麗に撮影することができる。また、このユーザがアップ撮影や上側の弱照射範囲外において撮影ポーズを形成した場合には、上部照明部が上側の弱照射範囲に光を照射することで、この上側の弱照射範囲を略中央と同様に明るくし、ユーザの背景に色むらなどの明暗の差が現れることを抑制して、仕上がり具合の良好な写真を撮影することができる。さらに、指向性のある照明装置を用いる場合に比べて、ユーザの背景に現れるユーザ等の影が濃くなることを抑制することができる。
【００１２】
請求項２記載の発明は、請求項１記載の写真撮影装置において、照明手段は、第２の照明部よりも下方に配置されて撮影手段の撮影範囲内の略中央よりも下方を照明する下部照明部を備えるものである。
【００１３】
このような構成によると、下部照明部を備えることにより、第２の照明部が斜め下方から撮影手段の撮影範囲の略中央を照明することで前記撮影範囲の下方に形成される弱照射範囲に対して光を照射することができるので、例えば被写体であるユーザが撮影範囲における下方の位置、すなわち下側の弱照射範囲内で撮影ポーズを形成した場合やユーザの足などの体の一部が下側の弱照射範囲内に入る場合であっても、このユーザに対して光を良好に照射して、このユーザを綺麗に撮影することができる。また、このユーザがアップ撮影や上側および下側の弱照射範囲外において撮影ポーズを形成した場合には、上部および下部照明部がそれぞれの弱照射範囲に光を照射することで、これらの弱照射範囲を略中央と同様に明るくし、ユーザの背景に色むらなどの明暗の差が現れることを抑制して、仕上がり具合の良好な写真を撮影することができる。さらに、指向性のある照明装置を用いる場合に比べて、ユーザの背景に現れるユーザ等の影が濃くなることを抑制することができる。
【００１４】
請求項３記載の発明は、撮影ブース内のユーザを撮影する撮影手段と、撮影時に前記撮影ブース内のユーザを照明するための照明手段とを備えた写真撮影装置において、前記照明手段は、斜め上方から前記撮影手段の撮影範囲の略中央を照明する第１の照明部と、斜め下方から前記撮影範囲の略中央を照明する第２の照明部と、前記第２の照明部よりも下方に配置されて前記撮影範囲の略中央よりも下方を照明する下部照明部とを備えるものである。
【００１５】
このような構成によると、下部照明部を備えることにより、第２の照明部が斜め下方から撮影手段の撮影範囲の略中央を照明することで前記撮影範囲の下方に形成される弱照射範囲に対して光を照射することができるので、例えば被写体であるユーザが撮影範囲における下方の位置、すなわち下側の弱照射範囲内で撮影ポーズを形成した場合やユーザの足などの体の一部が下側の弱照射範囲内に入る場合であっても、このユーザに対して光を良好に照射して、このユーザを綺麗に撮影することができる。また、このユーザがアップ撮影や下側の弱照射範囲外において撮影ポーズを形成した場合には、下部照明部が下側の弱照射範囲に光を照射することで、この下側の弱照射範囲を略中央と同様に明るくし、ユーザの背景に色むらなどの明暗の差が現れることを抑制して、仕上がり具合の良好な写真を撮影することができる。さらに、指向性のある照明装置を用いる場合に比べて、ユーザの背景に現れるユーザ等の影が濃くなることを抑制することができる。
【００１６】
請求項４記載の発明は、撮影ブース内のユーザを撮影する撮影手段と、撮影時に前記撮影ブース内のユーザを照明するための照明手段とを備えた写真撮影装置において、前記照明手段は、前記撮影ブースに面する照射面を有し、前記照射面は、前記撮影ブースに対して凸状に突出した曲面であるものである。
【００１７】
このような構成によると、照明手段は、撮影ブースに面する照射面を有し、前記照射面は、前記撮影ブースに対して凸状に突出した曲面であることにより、照射面から照射される光は、曲面の法線方向に放射状に拡散され、撮影手段の撮影範囲の上方から下方にかけて均一的に照明することができる。したがって、被写体であるユーザが撮影範囲の上方側、略中央、下方側のいずれにおいて撮影ポーズを形成した場合であっても、このユーザを好適に照明して、綺麗に撮影することができる。
【発明の効果】
【００１８】
以上のように本発明によれば、上部照明部または下部照明部を備えることにより、撮影範囲の上方または下方に形成される弱照射範囲に対して光を照射することができるので、これらの弱照射範囲内でユーザが撮影ポーズを形成した場合であっても、このユーザに対して光を良好に照射して、綺麗に撮影することができる。また、このユーザがアップ撮影やこれらの弱照射範囲外において撮影ポーズを形成した場合には、上部および下部照明部がそれぞれの弱照射範囲に光を照射することで、これらの弱照射範囲を略中央と同様に明るくし、ユーザの背景に色むらなどの明暗の差が現れることを抑制して、仕上がり具合の良好な写真を撮影することができる。さらに、指向性のある照明装置を用いる場合に比べて、ユーザの背景に現れるユーザ等の影が濃くなることを抑制することができる。
【発明を実施するための最良の形態】
【００１９】
（実施の形態１）
本発明の実施の形態１を、図１〜図８を参照しながら説明する。図１は本発明の実施の形態１の写真撮影装置１を示す側面図、図２は図１に示した撮影側筐体４の正面図、図３は照明手段における第１の照明部の照射範囲と撮影範囲との関係を説明する側面図、図４は照明手段における第２の照明部の照射範囲と撮影範囲との関係を説明する側面図、図５は照明手段における第１の照明部および第２の照明部により照明されている撮影範囲の略中央を説明する側面図、図６は撮影範囲における弱照射範囲を説明する側面図、図７は撮影範囲における弱照射範囲を上部照明部および下部照明部により照明している状態を説明する側面図、図８は各照明部による光の照射範囲と撮影範囲との関係を説明する図であって背景ユニットを撮影側筐体から見た図である。
【００２０】
図１および図２に示すように、写真撮影装置１は、被写体であるユーザを撮影する撮影手段であるカメラ２および撮影時に撮影ブース内のユーザを照明するストロボである照明手段３を備える撮影側筐体４と、この撮影側筐体４におけるカメラ２と対向する位置に距離を置いて設けられている背景ユニット５と、撮影側筐体４と背景ユニット５の上部に左右一対の天井フレーム６が架設されて形成される撮影ブース７内に設けられ、ユーザの撮影ポーズの形成を補助する姿勢補助具としての門型のはしご８および可動椅子９と、撮影側筐体４の背面に隣接して設けられている編集側筐体１０とを備える。
【００２１】
撮影側筐体４における背景ユニット５に対向する側の面には、カメラ２および照明手段３のほか、カメラ２が現在撮影している画像をユーザに対してリアルタイムで表示し、かつ、ユーザからの操作入力を受け付けるとともにデモ画面や撮影操作の手順等をユーザに対して表示するタッチパネルディスプレイ１１と、コインを投入するためのコイン投入口１２と、撮影操作時に音声案内やＢＧＭを出力する撮影側スピーカ１３とが設けられている。また、この撮影側筐体４の外部における一方の側面にはプリント取出口１４が設けられ、このプリント取出口１４からは、撮影画像と編集入力した画像とを合成した印刷用画像（編集画像を入力しなかった場合には撮影画像）が撮影側筐体４の内部に収納されたプリンタによってシールシートなどの印刷媒体に印刷されたものが排出される。
【００２２】
この撮影側筐体４における照明手段３は、撮影側筐体４におけるカメラ２の位置から上方に沿って設けられている一対の第１の照明部３ａと、撮影側筐体４におけるカメラ２の位置から下方に設けられている第２の照明部３ｂと、第１の照明部３ａの上方に設けられている上部照明部３ｃと、第２の照明部３ｂの下方に設けられている下部照明部３ｄとを有する。
【００２３】
ここで、各照明部の照射範囲とカメラ２の撮影範囲２１との関係を詳細に説明する。なお、図３〜図７においては、各照明部の照射範囲とカメラ２の撮影範囲２１とを同図面上に記載すべきであるが、これらすべてを図示すると図面が煩雑になり、かえって、本発明の理解を妨げるので、ここでは適宜に省略する。また、同様の理由で、はしご８や可動椅子９なども省略する。
【００２４】
図１〜図３に示すように、第１の照明部３ａは、カメラ２の側方から垂直に立ち上がりさらに上方で撮影ブース７側に向けて屈曲した形状に形成された照射面を有し、斜め上方からカメラ２の撮影範囲２１の略中央およびそれより下側（図３において２２Ａで示す）を照明する。
【００２５】
第２の照明部３ｂは、図２および図４に示すように、カメラ２の下方であって撮影側筐体４の傾斜に合わせて設けられた照射面を有し、斜め下方からカメラ２の撮影範囲２１の略中央およびそれより上側（図４において２３Ａで示す）を照明する。したがって、撮影範囲２１における、第１の照明部３ａおよび第２の照明部３ｂによって同時に照明される部分である略中央２１Ａは、図５の斜線を施した範囲になる。また、撮影範囲２１内における背景カーテン１６ａ側であって略中央部２１Ａに含まれない部分は、図６において斜線を施した範囲となる。なお、以下ではこの斜線部を弱照射範囲２１Ｂ、２１Ｃとする。
【００２６】
上部照明部３ｃは、図２および図７に示すように、撮影側筐体４における第１の照明部３ａの上方に設けられて、撮影範囲２１の上方に形成されている弱照射範囲２１Ｂ（図７中の上側の斜線部）を照明し、下部照明部３ｄは、撮影側筐体４の下方に形成されている可動椅子９用の収納スペース１５の内側に設けられて、撮影範囲２１の下方に形成される弱照射範囲２１Ｃ（図７中の下側の斜線部）を照明する。
【００２７】
一方、図１に示すように、背景ユニット５における撮影側筐体４に対向する側の上部には、撮影時にユーザの背景となる背景カーテン１６ａを複数種類備えたカーテンユニット１６が設けられている。それぞれの背景カーテン１６ａは、カーテンユニット１６内に巻き取られた状態で収納されており、カーテンユニット１６は、ユーザからタッチパネルディスプレイ１１への操作を介して指定された背景カーテン１６ａを、背景ユニット５の壁面に沿って垂下させる。
【００２８】
また、編集側筐体１０には、撮影ブース７において撮影した画像を表示して付属のタッチペン１７によりユーザからの編集画像の入力を受け付けるタブレットディスプレイ１８と、図示は省略するが、編集入力操作時に音声案内やＢＧＭを出力する編集側スピーカとが設けられている。なお、図中においては現れていないが、編集側筐体１０の反対側の面にも、タッチペン、タブレットディスプレイ、編集側スピーカが設けられており、異なる２組のユーザが、それぞれが撮影した画像に対して同時に編集画像の入力操作を行うことが可能とされている。また、図中の１９は、ユーザが編集入力操作を行う編集ブースである。上記の撮影ブース７および編集ブース１９の周囲には、ユーザがそれぞれのブースにおいて操作処理を行う際に、他の利用者から画像等の内容が見えないようにするための周囲カーテンが設けられているが、図面の煩雑化を避けるため、図示は省略している。
【００２９】
以上のような構成において、ユーザは、撮影ブース７内において、はしご８や可動椅子９を利用するなどして好みの撮影ポーズを形成して写真撮影を行う。
【００３０】
このとき、図３〜図８に示すように、照明手段３における第１の照明部３ａは斜め上方からカメラ２の撮影範囲２１の略中央およびそれより下側２２Ａを照明し、第２の照明部３ｂは斜め下方から撮影範囲２１の略中央およびそれより上側２３Ａを照明し、上部照明部３ｃは、第１の照明部３ａが斜め上方から撮影範囲２１の略中央およびそれより下側２２Ａを照明することでこの撮影範囲２１の上方に形成される弱照射範囲２１Ｂを照明し、下部照明部３ｄは、第２の照明部３ｂが斜め下方から撮影範囲２１の略中央およびそれより上側２３Ａを照明することでこの撮影範囲２１の下方に形成される弱照射範囲２１Ｃを照明しているので、撮影範囲２１の略中央２１Ａ、略中央２１Ａより上方および略中央２１Ａより下方、すなわち撮影範囲２１全体は均等な明るさになる。
【００３１】
したがって、撮影範囲２１の上方および下方に形成される弱照射範囲２１Ｂ、２１Ｃ内でユーザ２０が撮影ポーズを形成した場合であっても、このユーザ２０に対して光を良好に照射して、綺麗に撮影することができる。また、このユーザ２０がアップ撮影やこれらの弱照射範囲２１Ｂ、２１Ｃ外において撮影ポーズを形成した場合には、上部照明部３ｃおよび下部照明部３ｄがそれぞれの弱照射範囲２１Ｂ、２１Ｃに光を照射することで、これらの弱照射範囲２１Ｂ、２１Ｃを略中央２１Ａと同様に明るくし、ユーザ２０の背景に色むらなどの明暗の差が現れることを抑制して、仕上がり具合の良好な写真を撮影することができる。さらに、指向性のある照明装置を用いる場合に比べて、ユーザ２０の背景となる背景カーテン１６ａに現れるユーザや可動椅子９などの影が濃くなることを抑制することができる。なお、上部照明部３ｃおよび下部照明部３ｄから照射される光は、写真の仕上がり具合に合わせて、第１の照明部３ａおよび第２の照明部３ｂから照射される光より強い場合であっても、弱い場合であっても、同等の場合であってもよい。
【００３２】
そして、撮影が終了すると、撮影した画像が表示される側の編集ブース１９に移動し、タッチペン１７を用いて、撮影画像が表示されるタブレットディスプレイ１８に編集画像の入力を行う。そして、編集画像の入力が終わると、ユーザは、撮影画像と編集入力画像とが合成処理されて生成された印刷用画像がシールシートに印刷されて排出されるプリント取出口１４に移動し、出力されるシールシートを取得して写真撮影装置１の利用を終了する。なお、上記の撮影処理、編集処理および印刷処理の詳細については、写真撮影装置の分野において既に公知であるので、本実施の形態においては説明を省略する。
【００３３】
また、上記においては、下部照明部３ｄが収納スペース１５の内側に設けられている場合を説明したが、このような収納スペース１５が設けられていない撮影側筐体である場合には、下部照明部３ｄは、単に第２の照明部３ｂよりも下方に配置されていればよい。
【００３４】
また、上記においては、照明手段３が、第１の照明部３ａ、第２の照明部３ｂ、上部照明部３ｃ、下部照明部３ｄを有する場合を説明したが、これに限らず、例えば図９に示すような照明手段であってもよい。この例を、実施の形態２として以下に説明する。なお、図９においては、図面の煩雑化を避けるため、はしご８や可動椅子９などは省略している。
【００３５】
（実施の形態２）
図９に示すように、撮影側筐体４に備えられている照明手段３０は、カメラ２の位置から上方に設けられている第１の照明部３１と、撮影側筐体４におけるカメラ２の位置から下方に設けられている第２の照明部３２とを有し、第１の照明部３１および第２の照明部３２は、撮影ブース７に面する照射面３１ａ、３２ａを有し、これらの照射面３１ａ、３１ｂは、撮影ブース７に対して凸状に突出した曲面である。この曲面は球面形状、円筒外面形状、または放物線などの関数によって表される曲線であってもよい。
【００３６】
詳細には、第１の照明部３１の照射面３１ａは、カメラ２の撮影範囲２１に対して斜め上方から突出する４分の１円周程度の円弧状の曲面であり、第２の照明部３２の照射面３２ａは、撮影範囲２１に対して斜め下方から突出するほぼ２分の１円周程度の楕円弧状の曲面である。第１の照明部３１における照射面３１ａは、４分の１円周程度の円弧状の曲面であるため、略水平方向から略鉛直下向き方向にわたって放射状に光を拡散して照射することができる、すなわち、実施の形態１において説明した第１の照明部３ａと上部照明部３ｃとの役割を担う。また、第２の照明部３２における照射面３２ａは、ほぼ２分の１円周程度の楕円弧状の曲面であるため、撮影範囲２１を斜め下方から照射する方向から、撮影ブース７の床面を斜め上方から照射する方向にわたって放射状に光を拡散して照射することができる、すなわち、実施の形態１において説明した第２の照明部３ｂと下部照明部３ｄとの役割を担う。なお、上記のように、第２の照明部３２における照射面３２ａが、撮影ブース７の床面を斜め上方から照明することで、この照射された光が前記床面に反射し、背景カーテン１６ａを好適に照明することができる。
【００３７】
このような構成によると、第１の照明部３１の照射面３１ａは、４分の１円周程度の円弧状の曲面であるので、この照射面３１ａから照射される光は、図５に示すように、撮影範囲２１の上方から下方にかけて均一的になる。また、第２の照明部３２の照射面３２ａもほぼ２分の１円周程度の楕円弧状の曲面であるので、この照射面３２ａから照射される光は、撮影範囲２１の上方から下方にかけて均一的になる。
【００３８】
したがって、撮影範囲２１内において、被写体に対する光の照射量に不均一が発生することを防止することができるので、ユーザが撮影範囲２１の上方や下方において撮影ポーズを形成した場合であっても、このユーザに対して光を良好に照射して、綺麗に撮影することができる。また、上記のように、撮影範囲２１内において、光の照射量に不均一が発生することを防止することができるので、ユーザの背景となる背景カーテン１６ａに色むらなどの明暗の差が現れることを抑制して、仕上がり具合の良好な写真を撮影することができる。さらに、指向性のある照明装置を用いる場合に比べて、背景カーテン１６ａに現れるユーザや可動椅子９などの影が濃くなることを抑制することができる。
【００３９】
以上のように本発明によると、上部照明部３ｃおよび下部照明部３ｄを備えることにより、撮影範囲２１の上方および下方に形成される弱照射範囲２１Ｂ、２１Ｃに対して光を照射することができるので、これらの弱照射範囲２１Ｂ、２１Ｃ内でユーザ２０が撮影ポーズを形成した場合であっても、このユーザ２０に対して光を良好に照射して、綺麗に撮影することができる。また、このユーザがアップ撮影やこれらの弱照射範囲２１Ｂ、２１Ｃ外において撮影ポーズを形成した場合には、上部照明部３ｃおよび下部照明部３ｄがそれぞれの弱照射範囲２１Ｂ、２１Ｃに光を照射することで、これらの弱照射範囲２１Ｂ、２１Ｃを略中央２１Ａと同様に明るくし、ユーザ２０の背景である背景カーテン１６ａに色むらなどの明暗の差が現れることを抑制して、仕上がり具合の良好な写真を撮影することができる。さらに、指向性のある照明装置を用いる場合に比べて、ユーザ２０の背景である背景カーテン１６ａに現れるユーザ２０、はしご８、可動椅子９等の影が濃くなることを抑制することができる。
【図面の簡単な説明】
【００４０】
【図１】本発明の実施の形態１の写真撮影装置を示す側面図である。
【図２】図１に示した撮影側筐体の正面図である。
【図３】照明手段における第１の照明部の照射範囲と撮影範囲との関係を説明する側面図である。
【図４】照明手段における第２の照明部の照射範囲と撮影範囲との関係を説明する側面図である。
【図５】照明手段における第１の照明部および第２の照明部により照明されている撮影範囲の略中央を説明する側面図である。
【図６】撮影範囲における弱照射範囲を説明する側面図である。
【図７】撮影範囲における弱照射範囲を上部照明部および下部照明部により照明している状態を説明する側面図である。
【図８】各照明部による光の照射範囲と撮影範囲との関係を説明する図であって背景ユニットを撮影側筐体から見た図である。
【図９】本発明の実施の形態２の写真撮影装置を示す側面図である。
【符号の説明】
【００４１】
２    カメラ
３    照明手段
３ａ  第１の照明部
３ｂ  第２の照明部
３ｃ  上部照明部
７    撮影ブース
【図１】
2007064996.tif 000003
【図２】
2007064996.tif 000004
【図３】
2007064996.tif 000005
【図４】
2007064996.tif 000006
【図５】
2007064996.tif 000007
【図６】
2007064996.tif 000008
【図７】
2007064996.tif 000009
【図８】
2007064996.tif 000010
【図９】
2007064996.tif 000011